(57)【要約】【課題】シート開放時に収納ボックス内を外部から隠すことができる鞍乗型車両を提供すること。【解決手段】物品を出し入れするための開口部１２を上方に有する収納ボックス１０と、収納ボックス１０の開口部１２を塞ぐ中蓋２０とを備え、中蓋２０は、物品を出し入れするために回動可能に構成されたシート３０の下方に配置されており、シート３０が回動して開放された状態において、中蓋２０は、開口部１２を露出させるように回動可能であり、かつ、シート３０が回動して開放された状態において中蓋２０の回動移動を規制する規制部材７０が設けられており、それによって、当該中蓋２０の取り外しを防止することを特徴とする、鞍乗型車両である。【選択図】図４
2009023513.tif 000002
【特許請求の範囲】
【請求項１】
シート下に物品を収納可能な鞍乗型車両であって、
物品を出し入れするための開口部を上方に有する収納ボックスと、
前記収納ボックスの開口部を塞ぐ中蓋と
を備え、
前記中蓋は、前記物品を出し入れするために回動可能に構成されたシートの下方に配置されており、
前記シートが回動して開放された状態において、前記中蓋は、前記開口部を露出させるように回動可能であり、かつ、
前記シートが回動して開放された状態において前記中蓋の回動移動を規制する規制部材が設けられており、それによって、当該中蓋の取り外しを防止することを特徴とする、鞍乗型車両。
【請求項２】
前記規制部材は、前記シートであることを特徴とする、請求項１に記載の鞍乗型車両。
【請求項３】
前記シートは、所定回動位置においてその回動が規制され、
前記所定回動位置における前記シートが、前記中蓋の回動移動を規制し、当該中蓋の取り外しを防止することを特徴とする、請求項２に記載の鞍乗型車両。
【請求項４】
前記中蓋は、ヒンジ構造によって前記回動可能なように前記収納ボックスに取り付けられており、
前記中蓋用ヒンジ構造は、前記規制部材である前記シートを前記車両から外して前記回動の規制を解除した状態において、前記中蓋を取り外し可能な構造を有している、請求項１に記載の鞍乗型車両。
【請求項５】
前記ヒンジ構造は、前記中蓋に一体成形された支軸と、前記収納ボックスに一体成形された取付片とから構成されており、
前記中蓋は、その前側に形成された前記支軸を前記取付片の開口部に嵌入させることにより前記回動可能に支持されている、請求項４に記載の鞍乗型車両。
【請求項６】
前記取付片は、前記支軸を着脱可能とする着脱口を有しており、
前記ヒンジ構造は、前記支軸を前記取付片に嵌入させた状態において、前記中蓋を回動移動して前記着脱口に対する前記支軸の向きを変えることによって当該中蓋を取り外し可能とする構造を有している、請求項５に記載の鞍乗型車両。
【請求項７】
前記支軸は、当該支軸の長手方向に対して垂直な断面において第１長さと、前記第1長さよりも短い第２長さとを有しており、
前記着脱口は、前記支軸の前記第１長さよりも短く且つ前記支軸の前記第２長さよりも長い開口幅を有している、請求項６に記載の鞍乗型車両。
【請求項８】
前記収納ボックスは、ヘルメットを収納可能なメットインボックスである、請求項１に記載の鞍乗型車両。
【請求項９】
前記シートは、工具使用によって取り外し可能なように前記車両に固定されており、
前記ヘルメットはフルフェイスヘルメットであって、前記シート及び前記中蓋によって前記開口部が塞がった状態において、前記フルフェイスヘルメットが前記メットインボックスに収納されていることを特徴とする、請求項８に記載の鞍乗型車両。
【発明の詳細な説明】
【技術分野】
【０００１】
本発明は、鞍乗型車両、特にシート下に物品を収容可能な鞍乗型車両に関する。
【背景技術】
【０００２】
鞍乗型車両の中には、シートの真下に物品（例えばヘルメット）を収納するための収納ボックス（所謂メットインボックス）を配置したものがある。また、収納ボックスに隣接して燃料タンクやバッテリ等の車両備品を配置した車両も多い。この種の鞍乗型車両では、シートの一端がヒンジを介して回動自在に車体に取り付けられ、該シートを上方へ開放することによって、シート下の収納ボックス及び燃料タンクを露出させ、物品の出し入れや給油等を行うことができるように構成されている（例えば特許文献１）。
【特許文献１】特開２００６−３１５５０３号公報
【発明の開示】
【発明が解決しようとする課題】
【０００３】
しかしながら、従来の鞍乗型車両では給油時にシートを上方へ開放すると、シート下の燃料タンクだけでなく収納ボックスも露出するので、収納ボックスの内部が視認可能な状態となる。そのため収納ボックスをプライベートスペースとして活用するには抵抗があった。シート開放時に収納ボックスの内部が見えないようにするには収納ボックスの出し入れ口を布や板状部材等で覆い隠せばよいが、該出し入れ口を布や板状部材等で単に覆うだけでは車両走行時の振動によって容易に外れる虞があり好ましくない。車両走行時に大きな振動が発生した場合でも収納ボックス内の秘匿性を確保し得る収納ボックス構造が求められている。
【０００４】
本発明はかかる点に鑑みてなされたものであり、その主な目的は、収納ボックスをプライベートスペースとして活用可能な鞍乗型車両を提供することにある。
【課題を解決するための手段】
【０００５】
本発明の鞍乗型車両は、シート下に物品を収納可能な鞍乗型車両であって、物品を出し入りするための開口部を上方に有する収納ボックスと、前記収納ボックスの開口部を塞ぐ中蓋とを備え、前記中蓋は、前記物品を出し入れするために回動可能に構成されたシートの下方に配置されており、前記シートが回動して開放された状態において、前記中蓋は、前記開口部を露出させるように回動可能であり、かつ、  前記シートが回動して開放された状態において前記中蓋の回動移動を規制する規制部材が設けられており、それによって、当該中蓋の取り外しを防止することを特徴とする。
【０００６】
ある好適な実施形態において、前記規制部材は、前記シートであることを特徴とする。
【０００７】
ある好適な実施形態では、前記シートは、所定回動位置においてその回動が規制され、
【０００８】
前記所定回動位置における前記シートが、前記中蓋の回動移動を規制し、当該中蓋の取り外しを防止することを特徴とする。
【０００９】
ある好適な実施形態において、前記中蓋は、中蓋用ヒンジ構造によって前記回動可能なように前記収納ボックスに取り付けられており、前記中蓋用ヒンジ構造は、前記規制部材である前記シートを前記車両から外して前記回動の規制を解除した状態において、前記中蓋を取り外し可能な構造を有している。
【００１０】
ある好適な実施形態では、前記ヒンジ構造は、前記中蓋に一体成形された支軸と、前記収納ボックスに一体成形された取付片とから構成されており、前記中蓋は、その前側に形成された前記支軸を前記取付片の開口部に嵌入させることにより前記回動可能に支持されていることを特徴とする。
【００１１】
ある好適な実施形態において、前記取付片は、前記支軸を着脱可能とする着脱口を有しており、前記ヒンジ構造は、前記支軸を前記取付片に嵌入させた状態において、前記中蓋を回動移動して前記着脱口に対する前記支軸の向きを変えることによって当該中蓋を取り外し可能とする構造を有している。
【００１２】
ある好適な実施形態では、前記支軸は、当該支軸の長手方向に対して垂直な断面において第１長さと、前記第1長さよりも短い第２長さとを有しており、前記着脱口は、前記支軸の前記第１長さよりも短く且つ前記支軸の前記第２長さよりも長い開口幅を有している。
【００１３】
ある好適な実施形態において、前記収納ボックスはヘルメットを収納可能なメットインボックスである。
【００１４】
ある好適な実施形態では、前記シートは、工具使用によって取り外し可能なように前記車両に固定されており、前記ヘルメットはフルフェイスヘルメットであって、前記シート及び前記中蓋によって前記開口部が塞がった状態において、前記フルフェイスヘルメットが前記メットインボックスに収納されていることを特徴とする。
【発明の効果】
【００１５】
本発明の鞍乗型車両によれば、物品を出し入りするための開口部を上方に有する収納ボックスと、収納ボックスの開口部を塞ぐ中蓋とを備え、この中蓋は、物品を出し入れするために回動可能に構成されたシートの下方に配置されているので、給油時などにシートが回動して開放された状態であっても、収納ボックス内部を中蓋で覆い隠すことができる。これにより、他人の視線を気にすることなく収納ボックスに種々の物品を収納し得、収納ボックスをプライベートスペース化することができる。
【００１６】
加えて、シートが回動して開放された状態において、中蓋は、開口部を露出させるように回動可能であり、かつ、シートが回動して開放された状態において中蓋の回動移動を規制する規制部材が設けられている。この規制部材による回動規制によって中蓋の取り外しが防止されるので、規制部材を取り外さない限り中蓋を取り外すことができず、それゆえに車両走行時に大きな振動が発生した場合でも中蓋が容易に外れる事態を回避することができる。したがって、収納ボックス内の秘匿性を確保し得、プライベートスペース化の実効を図ることができる。
【００１７】
特に、規制部材としてシートを利用した場合には、別途規制部材を設けなくてもよい。そのため部品点数を削減することができ、製造コストを低減することができる。
【発明を実施するための最良の形態】
【００１８】
以下、図面を参照しながら、本発明による実施の形態を説明する。以下の図面においては、同じ作用を奏する部材・部位には同じ符号を付して説明している。なお、本発明は以下の実施形態に限定されない。
【００１９】
図１を参照しながら、本発明の実施形態における鞍乗型車両１００（以下、単に「車両」とも称する）について説明する。図１は、本実施形態の鞍乗型車両１００の構造を模式的に示す外観側面図である。
【００２０】
本実施形態に係る鞍乗型車両１００は、所謂アンダーボーン型の自動二輪車である。車両前後方向の中央部には、シート３０が配置されている。このシート３０の前方にはハンドル６２が配設されている。このハンドル６２から前下方へ向けてフロントフォーク６３が延びており、このフロントフォーク６３は、車体最前部に取り付けられたフロントタイヤ６４を支持している。シート３０に着座したライダーは、ハンドル６２を操作し、この操作力は、フロントフォーク６３を伝ってフロントタイヤ６４に伝達される。このフロントタイヤ６４の方向を変えることによって鞍乗型車両１００の進行方向は決定される。一方、シート３０の下方には、エンジンが配設されており、このエンジンの後方にはリアタイヤ６８が取り付けられている。エンジンによって生じた動力は、動力伝達装置を介してリアタイヤ６８へと伝達され、リアタイヤ６８を駆動する。
【００２１】
また、本実施形態の鞍乗型車両１００では、シート下にヘルメット等の物品を収納することができる。本実施形態のシート３０は、その前端がヒンジ５０（図８）を介して車体に回動可能に枢支され、その後端がロック機構（図示せず）を介して車体に固定されている。この構成では、ライダーは、ロック機構を解除してシート３０を上方へ開放することによって、シート下の収納ボックスを露出させ、物品等の出し入れを行うことができる。
【００２２】
さらに、図２及び図３を参照しながら、鞍乗型車両１００のシート下の構造について説明する。図２はシート下の構造を示す外観側面図であり、図３は要部を拡大して模式的に示した外観模式図である。
【００２３】
本実施形態の鞍乗型車両１００は、シート３０下に収納ボックス１０及び燃料タンク４０を備えている。
【００２４】
燃料タンク４０は、燃料（例えばガソリン等）を収容するためのボックスであり、シート下の後側スペースに配置されている。燃料タンク４０は、その上面の略中央部に燃料供給口が形成されており、通常時給油口は給油口カバー４４によって塞がれている。燃料タンク４０の前方には収納ボックス１０が配置されている。本実施形態に係る収納ボックス１０は所謂メットインボックスであり、ヘルメット（図示せず）を収容する容器である。ライダーがヘルメットを装着している場合にはヘルメットに代えて種々の物品を収容することができる。メットインボックス１０は、ヘルメットを収容可能な形状及びサイズを有していればよく、ここでは直方体形状の樹脂製容器である。本実施形態のメットインボックス１０は、その長手方向が前後方向に延びた車体フレーム６５に沿うようにシート下の前側スペースに配置されている。
【００２５】
メットインボックス１０は、その上方に開口部１２を有しており、この開口部１２を介してヘルメット等の物品の出し入れが行われる。開口部１２は、図３に示すように通常時中蓋２０によって塞がれている。本実施形態の中蓋２０は、メットインボックス１０の開口部１２を覆うように配置されている。中蓋２０は、開口部１２を露出しない程度に被覆し得る形状であればよく、この例では略矩形状の板状部材である。
【００２６】
なお、開口部１２は、その形状及びサイズがヘルメットを出し入れ可能に形成されていればよく、図示した略矩形状の開口形状に限らず、その他の形状であってもよい。例えば、円形状の開口部をメットインボックス１０の上面に設けることもできる。この場合、開口部１２の形状等に対応して中蓋２０の形状及びサイズが適宜決定され得る。また、開口部は、メットインボックスの上面だけに限らず適宜好適な位置（ヘルメットを出し入れし易い位置）に形成することができる。
【００２７】
また、本実施形態では、メットインボックス１０に収納可能なヘルメットはフルフェイスヘルメットである。すなわち、車両レイアウトを工夫することによって、シート３０及び中蓋２０によって開口部１２が塞がった状態において、フルフェイスヘルメット等の大きな備品をメットインボックス内に収納し得るように構成されている。
【００２８】
本実施形態によれば、ヘルメットを出し入りするための開口部１２を上方に有するメットインボックス１０と、メットインボックス１０の開口部１２を塞ぐ中蓋２０とを備え、この中蓋２０は、ヘルメットを出し入れするために回動可能に構成されたシート３０の下方に配置されているので、例えば給油時にシート３０が回動して開放された状態であっても、メットインボックス１０の内部を中蓋２０で覆い隠すことができる。これにより、他人の視線を気にすることなくメットインボックス１０に物品を収容し得、メットインボックス１０を所謂プライベートスペース化することができる。
【００２９】
なお、中蓋２０の材質は、透けない程度の非透明性材料であればよく、特に限定されないが、好適な材質として樹脂材料（例えばポリプロピレン）を挙げることができる。樹脂製の中蓋は、他の材料（例えば金属製）の中蓋に比べて軽量化を図ることができ、これによって中蓋開閉時の操作性を向上させることができる。さらに好適には、しぼ加工を施した樹脂製の中蓋を使用することができる。この構成によれば、シート下を質感の高い内装とすることができ、車両の高級感を演出できる。
【００３０】
さらに図４（ａ）及び（ｂ）も加えて、シート下のメットインボックスの構成、特にメットインボックスの開口部を覆う中蓋の構成について説明する。図４（ａ）及び（ｂ）はメットインボックス周辺の要部を拡大して模式的に示した側面模式図である。
【００３１】
本実施形態の中蓋２０は、シート３０が回動して開放された状態において、開口部１２を露出させるように回動可能に構成されている。すなわち中蓋２０は、その前側がヒンジ構造８０によって回動可能なようにメットインボックス１０に取り付けられており、中蓋２０を上方に開放（矢印「９０」）させることでメットインボックス１０の開口部１２を露出させることができる。このようにシート３０開放後に中蓋２０を回動させることで、開口部１２を介して物品の出し入れを行うことができる。
【００３２】
中蓋２０のヒンジ構造８０は、中蓋２０を図４（ａ）の中蓋位置２０ａまで回動移動させることによって当該中蓋２０の取り外しを許容する構造を有している。この例では、中蓋２０が閉状態（即ち回動角度θ＝０°）から回動移動されて、その回動角度がθ１（例えば約１４０°）となったときにメットインボックス１０から中蓋２０が着脱可能となるように構成されている。
【００３３】
そして、上述した中蓋位置２０ａへの回動を規制する規制部材７０を設けることにより、中蓋２０の取り外しを防止することができる。本実施形態の規制部材７０は、図４（ｂ）に示すようにシート３０である。すなわち閉状態から回動移動された中蓋２０がシート３０の背面３２に当接することによって、その回動角度がθ１よりも小さなθ２（例えば約１１０°）となる中蓋位置２０ｂにて回動が規制される。そのため図４（ａ）の中蓋位置２０ａまで中蓋２０を回動移動させることができず中蓋２０の取り外しを防止することができる。なお、規制部材７０は、中蓋２０に対して中蓋位置２０ａへの回動を規制しつつ、メットインボックスにヘルメット等を出し入れできる程度の回動を許容し得るように構成されていることが好ましい。
【００３４】
また、本実施形態のシート３０は、ヘルメット等を出し入れするために回動可能に構成されている。シート３０は、所定回動位置（ここではシート位置３０ａ）においてその回動が規制され、所定回動位置におけるシート３０が、中蓋２０の回動移動を規制し、当該中蓋２０の取り外しを防止する。つまり本実施形態のシート３０は、当該シートが最も開放された状態となる所定回動位置において規制部材７０としての役割を持つ。シート３０の回動を規制する手段は、典型的なシート回動機構に採用される種々の手段を適用することができる。
【００３５】
なお、シート３０の所定回動位置は、中蓋２０を中蓋位置２０ａまで回動させ得ない回動位置であればよく、例えば中蓋２０とシート３０との位置関係等に合わせて適宜変更することができる。ただし、好適には所定回動位置は、図４（ｂ）のシート位置３０ａのように開放時における中蓋２０の回動角度θ２が９０°以上となる回動位置である。これにより、開放状態の中蓋２０をシート３０の背面３２で支えることができ、メットインボックスに物品をスムーズに出し入れすることができる。
【００３６】
本実施形態によれば、規制部材７０（ここではシート３０ａ）を取り外さない限り中蓋２０を取り外すことができず、それゆえに車両走行時に大きな振動が発生した場合でも中蓋２０が容易に外れる事態を回避することができる。したがって、メットインボックス内の秘匿性を確保し得、プライベートスペース化の実効を図ることができる。
【００３７】
また、規制部材７０を排除することで中蓋２０を着脱可能な位置「２０ａ」まで回動して取り外すことができ、ライダーは中蓋２０の有無を自由に選択することができる。例えば中蓋２０を取り外すことによってメットインボックスの容積を拡大することができる。或いは中蓋２０をメットインボックス１０に装着することによって、メットインボックスをプライベートスペースとして利用することができる。
【００３８】
さらに、本実施形態では規制部材７０としてシート３０を利用しているため、別途規制部材７０を設けなくてもよい。そのため部品点数を削減することができ、製造コストを低減することができる。
【００３９】
さらに、図５〜図７を参照しながら、中蓋２０の構成、特に中蓋２０の取り外し防止機構について具体的に説明する。図５は中蓋の取付部（ヒンジ構造）の周辺を拡大して模式的に示した要部拡大図である。図６（ａ）及び（ｂ）は、中蓋が閉状態のときの中蓋用ヒンジ構造を模式的に示した図である。図７（ａ）及び（ｂ）は、中蓋がメットインボックスに着脱自在に取り付けられていることを説明するための図である。
【００４０】
中蓋２０は、図５に示すように、ヒンジ構造８０によって回動可能なようにメットインボックス１０に取り付けられている。本実施形態の中蓋用ヒンジ構造８０は、支軸８２と、この支軸８２を嵌入する一対の取付片８４ａ及び８４ｂとから構成されている。支軸８２は、中蓋２０の前端に沿って延びた棒状部材であり、中蓋２０に一体成形されている。一方、一対の取付片８４ａ及び８４ｂは、メットインボックス１０から上方へ突出したフック状部材であり、メットインボックス１０の前側に一体成形されている。中蓋２０は、その前側に設けられた支軸８２をメットインボックス１０の取付片８４ａ及び８４ｂの開口部に対応して嵌入させることにより回動自在に支持されている。
【００４１】
このように本実施形態では、メットインボックス１０及び中蓋２０と一体成形の中蓋用ヒンジ構造８０を介して中蓋２０がメットインボックス１０に回動連結されているため、中蓋用ヒンジ構造８０をメットインボックス１０及び中蓋２０のみから実質的に構成することができる。そのため別途回動連結部材を用意する必要はなく部品点数を削減することができ、また中蓋用ヒンジ構造８０の外観をコンパクトにすることができる。
【００４２】
本実施形態の中蓋用ヒンジ構造８０は、中蓋２０を回動自在に支持するとともに、該中蓋２０を着脱自在に装着し得る構造を有している。つまり、中蓋用ヒンジ構造８０は、中蓋２０を着脱可能な位置（図４（ａ）の中蓋位置２０ａ参照）まで回動させることによって該中蓋２０の取り外しを許容する構造を有している。具体的に説明すると、次の通りである。
【００４３】
支軸８２は、図６（ｂ）に示すように、当該支軸８２の長手方向に対して垂直な断面が一方向に沿って延びた形状（図では略矩形状）であり、当該一方向に沿った第１長さ「Ｌ１」と、第1長さよりも短い第２長さ「Ｌ２」とから構成されている。
【００４４】
一方、取付片８４ａ及び８４ｂは、図６（ａ）及び（ｂ）に示すように、支軸８２を径方向から着脱可能とする着脱口８６を有している。つまり、支軸８２は着脱口８６を介してメットインボックス１０に取り付けられ、または取り外される。この着脱口８６は、図６（ｂ）に示すように、支軸８２の第１長さ「Ｌ１」よりも短く且つ支軸８２の第２長さ「Ｌ２」よりも僅かに長い開口幅「Ｌ３」を有している。
【００４５】
上記構成では、図６（ｂ）に示すように、着脱口８６に対する支軸８２の長さが開口幅「Ｌ３」よりも長い場合には当該支軸８２を挿通させることができないが、図７（ｂ）に示すように、着脱口８６に対する支軸８２の長さが開口幅「Ｌ３」よりも短い第２長さ「Ｌ２」となる場合には当該支軸８２を選択的に挿通させることができる。すなわち、支軸８２を取付片８４に嵌入させた状態において、中蓋２０を回動して着脱口８６に対する支軸８２の向きを変えることによって中蓋２０をメットインボックス１０から取り外すことができる。なお、図７（ａ）及び（ｂ）の中蓋２０の回動位置は、図４（ａ）の着脱可能とする中蓋位置２０ａに対応している。
【００４６】
なお、本実施形態では支軸８２の長手方向に垂直な断面が略矩形状である一例を示したが、その断面が一方向に延びた形状（即ち第１長さと当該第１長さよりも短い第２長さを有する形状）であれば着脱口に対する支軸の向きを変えることによって該支軸を選択的に挿通させることができ、それゆえに支軸の断面は略矩形状以外の他の形状（例えば長円、楕円、或いは一方向に延びた多角形等）であってもよい。
【００４７】
また、中蓋２０を着脱可能な位置（図４（ａ）の中蓋位置２０ａ）まで回動移動させないように規制部材７０（ここではシート３０）を設けることで該中蓋２０の取り外しを規制することができる。換言すれば、規制部材であるシート３０を車両から外して回動の規制を解除した状態においては、該中蓋２０を取り外し可能な構造を有している。
【００４８】
規制部材としてのシート３０は、図８及び図９に示すように、シート用ヒンジ構造５０によって回動可能なように車両に固定されている。具体的には、メットインボックス１０の前側にはバッテリ（不図示）を収容するバッテリボックス１８が設けられており、該バッテリボックス１８の上側にシート３０を支持するシート用ヒンジ構造５０が形成されている。シート用ヒンジ構造５０としては、典型的なシート回動機構で採用されている種々のヒンジ構造を適用することができる。本実施形態のシート用ヒンジ構造５０は、支軸５２と、該支軸５２を嵌入する取付片５４ａ及び５４ｂとから構成されており、シート３０は、ネジ５６を介して該シート用ヒンジ構造５０に締結固定されている。
【００４９】
上記構成では、工具（例えばドライバ）を用いてネジ５６の締結を解除することによりシート３０を取り外すことができ、延いては中蓋２０を外してメットインボックス１０の容積を拡大することができる。換言すれば、工具（例えばドライバ）を使用しなければシート３０を取り外すことができず、これによって中蓋２０の取り外しを防止することができ、中蓋２０が車両走行時に容易に外れないようにすることができる。
【００５０】
なお、中蓋２０をメットインボックス１０に装着する場合には、上述した手順とは逆の手順を実行すればよい。即ち、まず、図１０（ａ）に示すように、中蓋２０の支軸８２をその厚肉な方向が着脱口８６を向くように角度調整して配置し、次いで、図１０（ｂ）に示すように支軸８２を図中の矢印方向にスライドさせて着脱口８６に挿通し、最後に、図１０（ｃ）に示すように中蓋２０を回動して閉状態することで中蓋２０をメットインボックス１０に装着することができる。また、その後、規制部材としてのシート３０を工具で取り付けることによって、中蓋２０の取り外しを防止することが可能となる。
【００５１】
なお、上述した例では、規制部材７０がシート３０であるものを示したが、そのような構成のものに限定されず、規制部材７０は、中蓋２０の回動を規制する機能を有する部材であればよく、シート以外の他の車両部材で代用してもよい。あるいは、規制部材を別途独立して設けることもできる。
【００５２】
例えば、図１１（ａ）及び（ｂ）は、規制部材７０としてのストッパー機構を別途設けた改変例を示している。ストッパー７０は、図１１（ａ）に示すように、中蓋２０の開放方向９０への移動を規制し得る位置に固定されている。そして、図１１（ｂ）に示すようにストッパー７０をスライドさせて解除すると、中蓋２０を取り外し可能な位置まで回動させることが可能となる。その結果、中蓋２０はメットインボックスに対して着脱可能となる。なお、図１２（ａ）に示すように、この例ではストッパー７０の固定手段は、例えばバネ７５の付勢力である。そして、図１２（ｂ）に示すように、ストッパー７０からバネ７５を取り外すことによってストッパー７０を解除することが可能となる。なお、ストッパーの固定手段としては、図示したバネの他に、例えばネジ止めやピン止めなどであってもよい。
【００５３】
図１３は、規制部材７０としてのバネ釣り合い構造７０を設けた改変例を示している。バネ釣り合い構造７０では、中蓋２０とメットインボックス１０との間にバネ７４を介在させ、当該バネ７４が縮む方向に作用する弾性力によって中蓋２０の開放方向への移動が規制される。また、バネ７４の弾性力に逆らって中蓋を大きく回動させることにより、中蓋を取り外し可能な位置まで回動させることが可能となる。
【００５４】
なお、本明細書でいう「鞍乗型車両」とは、ライダーがシートに跨って着座するタイプの車両だけに限らず、ライダーが両脚を閉じて着座する車両タイプ（典型的にはスクータ型の車両）も含まれる。また、図１に示した鞍乗型車両１００は、アンダーボーン型の自動二輪車であるが、これに限らず、シート下にヘルメットを収納可能な鞍乗型車両であれば適用することができる。例えば、アンダーボーン型の自動二輪車以外に、四輪バギー（ＡＴＶ：All Terrain Vehicle（全地形型車両））や、スノーモービルに適用することができる。
【００５５】
以上、本発明を好適な実施形態により説明してきたが、こうした記述は限定事項ではなく、勿論、種々の改変が可能である。
【産業上の利用可能性】
【００５６】
本発明によれば、シート開放時にメットインボックス内を外部から隠すことができる鞍乗型車両を提供することができる。
【図面の簡単な説明】
【００５７】
【図１】本実施形態の鞍乗型車両の構造を模式的に示す外観側面図。
【図２】シートを取り除いて示した鞍乗型車両の側面模式図。
【図３】シートが回動して開放された状態におけるシート下の構成を示す外観斜視図。
【図４】（ａ）及び（ｂ）は、メットインボックス周辺の要部を拡大して模式的に示した側面模式図。
【図５】中蓋の取付部（ヒンジ構造）の周辺を拡大した要部拡大図。
【図６】（ａ）及び（ｂ）は、中蓋が閉状態のときの中蓋用ヒンジ構造を模式的に示した図。
【図７】（ａ）及び（ｂ）は、中蓋がメットインボックスに着脱自在に取り付けられていることを説明する図。
【図８】シート用ヒンジ構造の周辺の構成を示す側面図。
【図９】シート用ヒンジ構造の周辺の構成を示す上面図。
【図１０】（ａ）〜（ｃ）は、中蓋をメットインボックスに装着する手順を示す図。
【図１１】（ａ）及び（ｂ）は、規制部材としてのストッパー機構を別途設けた改変例を示す図。
【図１２】（ａ）及び（ｂ）は、規制部材としてのストッパー機構を別途設けた改変例を示す図。
【図１３】規制部材としてのバネ釣り合い構造を設けた改変例を示す図。
【符号の説明】
【００５８】
１０    メットインボックス
１２    開口部
１８   バッテリボックス
２０    中蓋
２０ａ  着脱可能とする中蓋位置
２０ｂ  回動規制された中蓋位置
３０    シート
３０ａ  シートの所定回動位置
３２    背面
４０    燃料タンク
４４    給油口カバー
５０   シート用ヒンジ構造
５２   支軸
５４   取付片
６２    ハンドル
６３    フロントフォーク
６４    フロントタイヤ
６８    リアタイヤ
７０    規制部材
７４    バネ
７５    バネ
８０    ヒンジ構造
８２    支軸
８４    取付片
８６    着脱口
９０    開放方向
９２    スライド方向
１００    鞍乗型車両
Ｌ１   第１長さ
Ｌ２   第２長さ
Ｌ３    開口幅
【図１】
2009023513.tif 000003
【図２】
2009023513.tif 000004
【図３】
2009023513.tif 000005
【図４】
2009023513.tif 000006
【図５】
2009023513.tif 000007
【図６】
2009023513.tif 000008
【図７】
2009023513.tif 000009
【図８】
2009023513.tif 000010
【図９】
2009023513.tif 000011
【図１０】
2009023513.tif 000012
【図１１】
2009023513.tif 000013
【図１２】
2009023513.tif 000014
【図１３】
2009023513.tif 000015